【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
遊技場外の決済処理センターに設置され、金融機関のホストコンピュータとデータ通信可能に接続された決済処理コンピュータと、
遊技場内に設置され、
遊技機で遊技を行う際に使用される遊技用有価価値の大きさを特定可能な情報が記録された遊技用記録媒体を受付け、該受付けた遊技用記録媒体の記録情報を少なくとも読み取る遊技用記録媒体読み取り手段と、
前記受付けた遊技用記録媒体の記録情報から特定される遊技用有価価値の大きさを加算更新する遊技用有価価値加算更新手段と、
前記遊技用有価価値の大きさの加算に供される加算要求金額を利用者が入力可能な加算金額入力手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報を前記決済処理コンピュータに送信するとともに、該決済処理コンピュータからの返信情報を受信する情報送受信手段と、
を具備する遊技用装置と、
からなる遊技用システムであって、
前記遊技用装置は、前記口座特定用記録媒体読み取り手段にて読み出された利用者の預金口座を特定可能な情報と、前記加算金額入力手段により入力された加算要求金額と、を前記決済処理コンピュータに送信し、
前記決済処理コンピュータは、
前記遊技用装置から前記利用者の預金口座を特定可能な情報と、前記加算要求金額と、を受信したときに、該受信した利用者の預金口座を特定可能な情報に基づき利用者の取引金融機関のホストコンピュータに対して当該利用者の口座残高の照会依頼を送信し、
該照会依頼に対して前記ホストコンピュータから当該利用者の口座残高の返信を受けたときに、前記遊技用装置から受信した加算要求金額と、前記ホストコンピュータから返信された口座残高とを比較して加算要求金額の決済が可能であるか否かを判断するとともに、該判断に基づく決済の可否を前記遊技用装置に対して返信し、
前記遊技用装置は、前記利用者の預金口座を特定可能な情報と、前記加算要求金額と、を前記決済処理コンピュータに送信した後、該決済処理コンピュータから該加算要求金額の決済が可能であることを示す情報の返信を受けたことを条件に、該加算要求金額に対応する大きさの前記遊技用有価価値を、前記遊技用記録媒体の記録情報から特定される大きさの遊技用有価価値に加算更新することを特徴とする遊技用システム。
【請求項２】
遊技場外の決済処理センターに設置され、金融機関のホストコンピュータとデータ通信可能に接続された決済処理コンピュータと、
遊技場内に設置された遊技機に対応して設けられ、
遊技機で遊技を行う際に使用される遊技用有価価値の大きさを特定可能な情報が記録された遊技用記録媒体を受付け、該受付けた遊技用記録媒体の記録情報を少なくとも読み取る遊技用記録媒体読み取り手段と、
前記受付けた遊技用記録媒体の記録情報から特定される大きさの遊技用有価価値を遊技に使用するための処理を行う遊技用記録媒体処理手段と、
前記受付けた遊技用記録媒体の記録情報から特定される遊技用有価価値の大きさを加算更新する遊技用有価価値加算更新手段と、
前記遊技用有価価値の大きさの加算に供される加算要求金額を利用者が入力可能な加算金額入力手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報を前記決済処理コンピュータに送信するとともに、該決済処理コンピュータからの返信情報を受信する情報送受信手段と、
を具備する遊技用装置と、
からなる遊技用システムであって、
前記遊技用装置は、前記口座特定用記録媒体読み取り手段にて読み出された利用者の預金口座を特定可能な情報と、前記加算金額入力手段により入力された加算要求金額と、を前記決済処理コンピュータに送信し、
前記決済処理コンピュータは、
前記遊技用装置から前記利用者の預金口座を特定可能な情報と、前記加算要求金額と、を受信したときに、該受信した利用者の預金口座を特定可能な情報に基づき利用者の取引金融機関のホストコンピュータに対して当該利用者の口座残高の照会依頼を送信し、
該照会依頼に対して前記ホストコンピュータから当該利用者の口座残高の返信を受けたときに、、前記遊技用装置から受信した加算要求金額と、前記ホストコンピュータから返信された口座残高とを比較して加算要求金額の決済が可能であるか否かを判断するとともに、該判断に基づく決済の可否を前記遊技用装置に対して返信し、
前記遊技用装置は、前記利用者の預金口座を特定可能な情報と、前記加算要求金額と、を前記決済処理コンピュータに送信した後、該決済処理コンピュータから該加算要求金額の決済が可能であることを示す情報の返信を受けたことを条件に、該加算要求金額に対応する大きさの前記遊技用有価価値を、前記遊技用記録媒体の記録情報から特定される大きさの遊技用有価価値に加算更新することを特徴とする遊技用システム。
【請求項３】
前記決済処理コンピュータは、前記利用者の口座より前記加算要求金額の引き落とし処理を、前記遊技用有価価値加算更新手段における遊技用有価価値の加算更新後において即時実施する請求項１または２に記載の遊技用システム。
【請求項４】
前記遊技用装置は、第三者からの視認が困難とされ、少なくとも前記口座特定用記録媒体の暗証番号を入力する入力手段を具備する請求項１〜３のいずれかに記載の遊技用システム。
【請求項５】
前記口座特定用記録媒体読み取り手段は、前記口座特定用記録媒体からの記録情報の読み取りを、利用者が前記口座特定用記録媒体を所持した状態にて可能とされている請求項１〜４のいずれかに記載の遊技用システム。
【請求項６】
前記遊技用装置は、少なくとも前記加算要求金額が印字された利用明細を発行する利用明細発行手段を具備する請求項１〜５のいずれかに記載の遊技用システム。
【請求項７】
前記遊技用装置は、現金を受け付ける現金受付手段を具備し、受付現金に該当する遊技用有価価値の大きさを、前記遊技用記録媒体の記録情報から特定される大きさの遊技用有価価値に加算更新する請求項１〜６のいずれかに記載の遊技用システム。
【請求項８】
前記遊技用装置は、前記遊技用記録媒体の発行に供される発行要求金額を利用者が入力可能な発行金額入力手段と、
前記遊技用記録媒体の発行を実施する遊技用記録媒体発行手段と、
を備え、
前記遊技用装置は、前記口座特定用記録媒体読み取り手段にて読み出された利用者の預金口座を特定可能な情報と、前記発行金額入力手段により入力された発行要求金額と、を前記決済処理コンピュータに送信し、
前記決済処理コンピュータは、
前記遊技用装置から前記利用者の預金口座を特定可能な情報と、前記発行要求金額と、を受信したときに、該受信した利用者の預金口座を特定可能な情報に基づき利用者の取引金融機関のホストコンピュータに対して当該利用者の口座残高の照会依頼を送信し、
該照会依頼に対して前記ホストコンピュータから当該利用者の口座残高の返信を受けたときに、、前記遊技用装置から受信した発行要求金額と、前記ホストコンピュータから返信された口座残高とを比較して発行要求金額の決済が可能であるか否かを判断するとともに、該判断に基づく決済の可否を前記遊技用装置に対して返信し、
前記遊技用装置は、前記利用者の預金口座を特定可能な情報と、前記発行要求金額と、を前記決済処理コンピュータに送信した後、該決済処理コンピュータから該発行要求金額の決済が可能であることを示す情報の返信を受けたことを条件に、該発行要求金額に対応する大きさの前記遊技用有価価値を特定可能な記録情報が記録された遊技用記録媒体の発行を実施する請求項１〜７のいずれかに記載の遊技用システム。
【手続補正２】
【補正対象書類名】明細書
【補正対象項目名】０００５
【補正方法】変更
【補正の内容】
【０００５】
【課題を解決するための手段】
前記した問題を解決するために、本発明の遊技用システムは、
遊技場外の決済処理センターに設置され、金融機関のホストコンピュータとデータ通信可能に接続された決済処理コンピュータと、
遊技場内に設置され、
遊技機で遊技を行う際に使用される遊技用有価価値の大きさを特定可能な情報が記録された遊技用記録媒体を受付け、該受付けた遊技用記録媒体の記録情報を少なくとも読み取る遊技用記録媒体読み取り手段と、
前記受付けた遊技用記録媒体の記録情報から特定される遊技用有価価値の大きさを加算更新する遊技用有価価値加算更新手段と、
前記遊技用有価価値の大きさの加算に供される加算要求金額を利用者が入力可能な加算金額入力手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報を前記決済処理コンピュータに送信するとともに、該決済処理コンピュータからの返信情報を受信する情報送受信手段と、
を具備する遊技用装置と、
からなる遊技用システムであって、
前記遊技用装置は、前記口座特定用記録媒体読み取り手段にて読み出された利用者の預金口座を特定可能な情報と、前記加算金額入力手段により入力された加算要求金額と、を前記決済処理コンピュータに送信し、
前記決済処理コンピュータは、
前記遊技用装置から前記利用者の預金口座を特定可能な情報と、前記加算要求金額と、を受信したときに、該受信した利用者の預金口座を特定可能な情報に基づき利用者の取引金融機関のホストコンピュータに対して当該利用者の口座残高の照会依頼を送信し、
該照会依頼に対して前記ホストコンピュータから当該利用者の口座残高の返信を受けたときに、、前記遊技用装置から受信した加算要求金額と、前記ホストコンピュータから返信された口座残高とを比較して加算要求金額の決済が可能であるか否かを判断するとともに、該判断に基づく決済の可否を前記遊技用装置に対して返信し、
前記遊技用装置は、前記利用者の預金口座を特定可能な情報と、前記加算要求金額と、を前記決済処理コンピュータに送信した後、該決済処理コンピュータから該加算要求金額の決済が可能であることを示す情報の返信を受けたことを条件に、該加算要求金額に対応する大きさの前記遊技用有価価値を、前記遊技用記録媒体の記録情報から特定される大きさの遊技用有価価値に加算更新することを特徴としている。
この特徴によれば、前記価値加算を金融機関により発行されたキャッシュカード等の口座特定用記録媒体にて実施できるようになるため、投入される現金の量を低減または皆無とすることができ、これら現金の回収や保管に要する管理コストや労力を低減することができる。
【手続補正３】
【補正対象書類名】明細書
【補正対象項目名】０００６
【補正方法】変更
【補正の内容】
【０００６】
本発明の遊技用システムは、
遊技場外の決済処理センターに設置され、金融機関のホストコンピュータとデータ通信可能に接続された決済処理コンピュータと、
遊技場内に設置された遊技機に対応して設けられ、
遊技機で遊技を行う際に使用される遊技用有価価値の大きさを特定可能な情報が記録された遊技用記録媒体を受付け、該受付けた遊技用記録媒体の記録情報を少なくとも読み取る遊技用記録媒体読み取り手段と、
前記受付けた遊技用記録媒体の記録情報から特定される大きさの遊技用有価価値を遊技に使用するための処理を行う遊技用記録媒体処理手段と、
前記受付けた遊技用記録媒体の記録情報から特定される遊技用有価価値の大きさを加算更新する遊技用有価価値加算更新手段と、
前記遊技用有価価値の大きさの加算に供される加算要求金額を利用者が入力可能な加算金額入力手段と、
利用者の預金口座を特定可能な情報が記録され、金融機関により発行された口座特定用記録媒体の記録情報を読み取る口座特定用記録媒体読み取り手段と、
少なくとも該口座特定用記録媒体読み取り手段にて読み出された記録情報を前記決済処理コンピュータに送信するとともに、該決済処理コンピュータからの返信情報を受信する情報送受信手段と、
を具備する遊技用装置と、
からなる遊技用システムであって、
前記遊技用装置は、前記口座特定用記録媒体読み取り手段にて読み出された利用者の預金口座を特定可能な情報と、前記加算金額入力手段により入力された加算要求金額と、を前記決済処理コンピュータに送信し、
前記決済処理コンピュータは、
前記遊技用装置から前記利用者の預金口座を特定可能な情報と、前記加算要求金額と、を受信したときに、該受信した利用者の預金口座を特定可能な情報に基づき利用者の取引金融機関のホストコンピュータに対して当該利用者の口座残高の照会依頼を送信し、
該照会依頼に対して前記ホストコンピュータから当該利用者の口座残高の返信を受けたときに、、前記遊技用装置から受信した加算要求金額と、前記ホストコンピュータから返信された口座残高とを比較して加算要求金額の決済が可能であるか否かを判断するとともに、該判断に基づく決済の可否を前記遊技用装置に対して返信し、
前記遊技用装置は、前記利用者の預金口座を特定可能な情報と、前記加算要求金額と、を前記決済処理コンピュータに送信した後、該決済処理コンピュータから該加算要求金額の決済が可能であることを示す情報の返信を受けたことを条件に、該加算要求金額に対応する大きさの前記遊技用有価価値を、前記遊技用記録媒体の記録情報から特定される大きさの遊技用有価価値に加算更新することを特徴としている。
この特徴によれば、前記価値加算を金融機関により発行されたキャッシュカード等の口座特定用記録媒体にて実施できるようになるため、投入される現金の量を低減または皆無とすることができ、これら現金の回収や保管に要する管理コストや労力を低減することができるばかりか、金融機関に出向いて現金を引き出す必要がないため、利用者の利便性を向上でき、且つこれら現金の引き出しに伴う遊技機の稼働率の低下を防止することもできる。
【手続補正４】
【補正対象書類名】明細書
【補正対象項目名】００１３
【補正方法】変更
【補正の内容】
【００１３】
本発明の遊技用システムの前記遊技用装置は、前記遊技用記録媒体の発行に供される発行要求金額を利用者が入力可能な発行金額入力手段と、
前記遊技用記録媒体の発行を実施する遊技用記録媒体発行手段と、
を備え、
前記遊技用装置は、前記口座特定用記録媒体読み取り手段にて読み出された利用者の預金口座を特定可能な情報と、前記発行金額入力手段により入力された発行要求金額と、を前記決済処理コンピュータに送信し、
前記決済処理コンピュータは、
前記遊技用装置から前記利用者の預金口座を特定可能な情報と、前記発行要求金額と、を受信したときに、該受信した利用者の預金口座を特定可能な情報に基づき利用者の取引金融機関のホストコンピュータに対して当該利用者の口座残高の照会依頼を送信し、
該照会依頼に対して前記ホストコンピュータから当該利用者の口座残高の返信を受けたときに、、前記遊技用装置から受信した発行要求金額と、前記ホストコンピュータから返信された口座残高とを比較して発行要求金額の決済が可能であるか否かを判断するとともに、該判断に基づく決済の可否を前記遊技用装置に対して返信し、
前記遊技用装置は、前記利用者の預金口座を特定可能な情報と、前記発行要求金額と、を前記決済処理コンピュータに送信した後、該決済処理コンピュータから該発行要求金額の決済が可能であることを示す情報の返信を受けたことを条件に、該発行要求金額に対応する大きさの前記遊技用有価価値を特定可能な記録情報が記録された遊技用記録媒体の発行を実施することが好ましい。
このようにすれば、金融機関により発行されたキャッシュカード等の口座特定用記録媒体にて遊技用記録媒体を発行できるようになるため、投入される現金の量を低減または皆無とすることができ、これら現金の回収や保管に要する管理コストや労力を低減することができるばかりか、金融機関に出向いて現金を引き出す必要がないため、利用者の利便性を向上できる。